【手続補正書】
【提出日】平成16年12月15日(2004.12.15)
【手続補正１】
【補正対象書類名】明細書
【補正対象項目名】発明の名称
【補正方法】変更
【補正の内容】
【発明の名称】データ公開システム、サーバ装置、その制御方法、そのプログラム及びそれを記録したコンピュータ読み取り可能な記録媒体
【手続補正２】
【補正対象書類名】明細書
【補正対象項目名】特許請求の範囲
【補正方法】変更
【補正の内容】
【特許請求の範囲】
【請求項１】
ネットワーク経由で、第１クライアント装置からサーバ装置へアップロードされたデータを第２クライアント装置へ公開するデータ公開システムであって、
前記第１クライアント装置からデータを受信してデータベースに記憶する記憶手段と、
前記第１クライアント装置から第２クライアント装置のアドレスを受信するアドレス受信手段と、
前記記憶手段により記憶されたデータを識別するためのデータＩＤと前記アドレス受信手段により受信されたアドレスを対応付けてテーブルに格納するアドレス管理手段と、
前記アドレス管理手段により格納されたアドレスを宛先とする電子メールを作成する第１メール作成手段と、
前記第１クライアント装置から前記記憶手段により記憶されたデータの更新指示を受け付ける更新指示受付手段と、
前記更新指示を受け付けたデータに基づいて前記テーブルから読み出されるアドレスを宛先とする電子メールを作成する第２メール作成手段とを備えることを特徴とするデータ公開システム。
【請求項２】
第１クライアント装置からデータを受信してデータベースに記憶する記憶手段と、
前記第１クライアント装置から第２クライアント装置のアドレスを受信するアドレス受信手段と、
前記記憶手段により記憶されたデータを識別するためのデータＩＤと前記アドレス受信手段により受信されたアドレスを対応付けてテーブルに格納するアドレス管理手段と、
前記アドレス管理手段により格納されたアドレスを宛先とする電子メールを作成する第１メール作成手段と、
前記第１クライアント装置から前記記憶手段により記憶されたデータの更新指示を受け付ける更新指示受付手段と、
前記更新指示を受け付けたデータに基づいて前記テーブルから読み出されるアドレスを宛先とする電子メールを作成する第２メール作成手段とを備えることを特徴とするサーバ装置。
【請求項３】
前記データの更新指示は、前記データを前記データベースから削除するための指示、あるいは前記第２クライアント装置から前記データベースに記憶されたデータへのアクセスの可否を変更するための指示のうち少なくとも１つであることを特徴とする請求項２に記載のサーバ装置。
【請求項４】
前記更新指示受付手段は、前記更新指示とともに、前記第２メール作成手段による電子メールの作成を指示するための第２メール作成指示を受け付け、
前記第２メール作成手段は、前記更新指示受付手段により前記第２メール作成指示を受け付けたか否かに応じて前記電子メールを作成することを特徴とする請求項２又は３に記載のサーバ装置。
【請求項５】
前記データの更新指示は、前記データを前記データベースから削除するための指示、あるいは前記第２クライアント装置から前記データベースに記憶されたデータへのアクセスの可否を変更するための指示であり、
前記更新指示受付手段は、前記更新指示ごとに、前記第２メール作成手段による電子メールの作成を指示するための第２メール作成指示を受け付け、
前記第２メール作成手段は、前記更新指示受付手段により前記第２メール作成指示を受け付けたか否かに応じて前記電子メールを作成することを特徴とする請求項２乃至４のいずれか１項に記載のサーバ装置。
【請求項６】
前記第１又は２メール作成手段により作成された電子メールを送信するメール送信手段と、
前記送信手段により送信された電子メールの送信エラーを検知する検知手段と、
前記検知手段により検知された電子メールのアドレスを含むレコードを前記テーブルから削除するエラーアドレス削除手段とを更に備えることを特徴とする請求項２乃至４のいずれか１項に記載のサーバ装置。
【請求項７】
前記データは、画像であることを特徴とする請求項２乃至５のいずれか１項に記載のサーバ装置。
【請求項８】
第１クライアント装置からデータを受信してデータベースに記憶するステップと、
前記第１クライアント装置から第２クライアント装置のアドレスを受信するステップと、
前記データベースに記憶されたデータを識別するためのデータＩＤと前記受信されたアドレスを対応付けてテーブルに格納するステップと、
前記テーブルに格納されたアドレスを宛先とする電子メールを作成するステップと、
前記第１クライアント装置から前記データベースに記憶されたデータの更新指示を受け付けるステップと、
前記更新指示を受け付けたデータに基づいて前記テーブルから読み出されるアドレスを宛先とする電子メールを作成するステップとを備えることを特徴とするサーバ装置の制御方法。
【請求項９】
第１クライアント装置からデータを受信してデータベースに記憶するステップと、
前記第１クライアント装置から第２クライアント装置のアドレスを受信するステップと、
前記データベースに記憶されたデータを識別するためのデータＩＤと前記受信されたアドレスを対応付けてテーブルに格納するステップと、
前記テーブルに格納されたアドレスを宛先とする電子メールを作成するステップと、
前記第１クライアント装置から前記データベースに記憶されたデータの更新指示を受け付けるステップと、
前記更新指示を受け付けたデータに基づいて前記テーブルから読み出されるアドレスを宛先とする電子メールを作成するステップとを備えることを特徴とする制御方法をコンピュータに実行させるためのプログラム。
【請求項１０】
第１クライアント装置からデータを受信してデータベースに記憶するステップと、
前記第１クライアント装置から第２クライアント装置のアドレスを受信するステップと、
前記データベースに記憶されたデータを識別するためのデータＩＤと前記受信されたアドレスを対応付けてテーブルに格納するステップと、
前記テーブルに格納されたアドレスを宛先とする電子メールを作成するステップと、
前記第１クライアント装置から前記データベースに記憶されたデータの更新指示を受け付けるステップと、
前記更新指示を受け付けたデータに基づいて前記テーブルから読み出されるアドレスを宛先とする電子メールを作成するステップとを備えることを特徴とする制御方法を実行させるためのプログラムを記録したコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、ネットワーク経由で第１クライアント装置からサーバ装置へアップロードされたデータを第２クライアント装置へ公開するデータ公開システム、そのサーバ装置、その制御方法、そのプログラム及びそれを記録したコンピュータ読み取り可能な記録媒体に関するものである。
【手続補正４】
【補正対象書類名】明細書
【補正対象項目名】００１１
【補正方法】変更
【補正の内容】
【００１１】
本発明は、上述の課題を解決するためになされたものであり、ネットワーク経由で第１クライアント装置からサーバ装置へアップロードされ、第２クライアント装置へ公開されたデータに更新があったことを、サーバ装置のオペレータや第１クライアント装置のユーザに負担をかけることなく、速やかに第２クライアント装置のユーザへ通知するためのデータ公開システム、サーバ装置、その制御方法、そのプログラム及びそれを記録したコンピュータ読み取り可能な記録媒体を提供することを目的とする。
【手続補正５】
【補正対象書類名】明細書
【補正対象項目名】００１２
【補正方法】変更
【補正の内容】
【００１２】
【課題を解決するための手段】
上記目的を達成するために、本発明は、ネットワーク経由で、第１クライアント装置からサーバ装置へアップロードされたデータを第２クライアント装置へ公開するデータ公開システムであって、前記第１クライアント装置からデータを受信してデータベースに記憶する記憶手段と、前記第１クライアント装置から第２クライアント装置のアドレスを受信するアドレス受信手段と、前記記憶手段により記憶されたデータを識別するためのデータＩＤと前記アドレス受信手段により受信されたアドレスを対応付けてテーブルに格納するアドレス管理手段と、前記アドレス管理手段により格納されたアドレスを宛先とする電子メールを作成する第１メール作成手段と、前記第１クライアント装置から前記記憶手段により記憶されたデータの更新指示を受け付ける更新指示受付手段と、前記更新指示を受け付けたデータに基づいて前記テーブルから読み出されるアドレスを宛先とする電子メールを作成する第２メール作成手段とを備えることを特徴とする。
【手続補正６】
【補正対象書類名】明細書
【補正対象項目名】００１３
【補正方法】変更
【補正の内容】
【００１３】
また、上記目的を達成するために、本発明は、第１クライアント装置からデータを受信してデータベースに記憶する記憶手段と、前記第１クライアント装置から第２クライアント装置のアドレスを受信するアドレス受信手段と、前記記憶手段により記憶されたデータを識別するためのデータＩＤと前記アドレス受信手段により受信されたアドレスを対応付けてテーブルに格納するアドレス管理手段と、前記アドレス管理手段により格納されたアドレスを宛先とする電子メールを作成する第１メール作成手段と、前記第１クライアント装置から前記記憶手段により記憶されたデータの更新指示を受け付ける更新指示受付手段と、前記更新指示を受け付けたデータに基づいて前記テーブルから読み出されるアドレスを宛先とする電子メールを作成する第２メール作成手段とを備えることを特徴とする。
【手続補正７】
【補正対象書類名】明細書
【補正対象項目名】００１４
【補正方法】変更
【補正の内容】
【００１４】
更に、上記目的を達成するために、本発明は、第１クライアント装置からデータを受信してデータベースに記憶するステップと、前記第１クライアント装置から第２クライアント装置のアドレスを受信するステップと、前記データベースに記憶されたデータを識別するためのデータＩＤと前記受信されたアドレスを対応付けてテーブルに格納するステップと、前記テーブルに格納されたアドレスを宛先とする電子メールを作成するステップと、前記第１クライアント装置から前記データベースに記憶されたデータの更新指示を受け付けるステップと、前記更新指示を受け付けたデータに基づいて前記テーブルから読み出されるアドレスを宛先とする電子メールを作成するステップとを備えることを特徴とする。
【手続補正８】
【補正対象書類名】明細書
【補正対象項目名】００１５
【補正方法】削除
【補正の内容】
【手続補正９】
【補正対象書類名】明細書
【補正対象項目名】００９８
【補正方法】変更
【補正の内容】
【００９８】
【発明の効果】
以上説明したように、本発明によれば、ネットワーク経由で第１クライアント装置からサーバ装置へアップロードされ、第２クライアント装置へ公開されたデータに更新があったことを、サーバ装置のオペレータや第１クライアント装置のユーザに負担をかけることなく、速やかに第２クライアント装置のユーザへ通知することができる。
【手続補正１０】
【補正対象書類名】明細書
【補正対象項目名】００９９
【補正方法】削除
【補正の内容】